(57)【特許請求の範囲】
【請求項１】
表示面上で画面を任意に拡大または縮小して任意の位置に表示できる映像機器であって、
画面の表示サイズを拡大または縮小する指令信号が供給されたことに基づいて画面の表示サイズを拡大または縮小する表示サイズ変更処理手段と、
前記表示サイズ変更処理手段により拡大または縮小される画面の表示位置を移動する表示位置移動処理手段と、を有し、
前記表示位置移動処理手段は、拡大または縮小される前の画面を第１の画面とし、拡大または縮小された後の画面を第２の画面として、前記第１の画面の中心と前記表示面の中心とを通る線上で、前記表示面と前記第１の画面との中心間距離と前記表示面と前記第２の前記画面との中心間距離の比が、前記表示面の任意のコーナーに前記第１の画面と前記第２の画面を移動させたときの前記表示面と前記第１の画面との中心間距離と前記表示面と前記第２の画面との中心間距離の比と同じになるように、前記第２の画面の中心を移動する
映像機器。
【請求項２】
請求項１記載の映像機器において、
前記拡大または縮小される画面は、親画面と共に表示される子画面である
映像機器。
【請求項３】
請求項１記載の映像機器において、
前記拡大または縮小される画面は、主画面と共に表示される任意の情報画面である
映像機器。
【請求項４】
請求項１記載の映像機器において、
前記拡大または縮小される画面は、複数の画面が共に表示される内の任意の一の画面である
映像機器。
【請求項５】
表示面上で画面を任意に拡大または縮小して任意の位置に表示できる画面表示方法であって、
画面の表示サイズを拡大または縮小する指令信号が供給されたことに基づいて画面の表示サイズを拡大または縮小する第１ステップと、
前記第１ステップにより拡大または縮小される画面の表示位置を移動する第２ステップと、を含み、
前記第２ステップでは、拡大または縮小される前の画面を第１の画面とし、拡大または縮小された後の画面を第２の画面として、前記第１の画面の中心と前記表示面の中心とを通る線上で、前記表示面と前記第１の画面との中心間距離と前記表示面と前記第２の前記画面との中心間距離の比が、前記表示面の任意のコーナーに前記第１の画面と前記第２の画面を移動させたときの前記表示面と前記第１の画面との中心間距離と前記表示面と前記第２の画面との中心間距離の比と同じになるように、前記第２の画面の中心を移動する
画面表示方法。
【発明の詳細な説明】
【技術分野】
【０００１】
本発明は、例えば表示面上の任意の位置に任意のサイズで画面の表示を行う場合に使用して好適な映像機器に関する。詳しくは画面のサイズを変更した場合の表示位置に違和感が生じないようにするものである。
【背景技術】
【０００２】
例えばテレビジョン受像機のような映像機器において、表示面の中で親画面と共に縮小された子画面を表示することが行われている。このような映像機器において、さらに子画面のサイズを任意に変更できるようにする装置が実現されている。そこでこのような子画面のサイズを変更する場合には、例えば図３に示すように表示面を水平、垂直方向に２等分して４つの領域(I) 〜(IV)に分割して、それぞれの領域に合わせたサイズの変更を行う。
【０００３】
すなわち、例えば子画面の中心が左上の領域(I)にあるときは左上を中心にサイズ変更を行う。同様に子画面の中心が右上の領域(II)にあるときは右上を中心にサイズ変更を行う。また子画面の中心が左下の領域(III)にあるときは左下を中心にサイズ変更を行う。さらに子画面の中心が右下の領域(IV)にあるときは右下を中心にサイズ変更を行うようにする。これによれば表示位置に違和感が生じることは少なく、また変更によって画面が欠損することもない。
【発明の概要】
【発明が解決しようとする課題】
【０００４】
ところがこのような映像機器において、さらに子画面の表示位置を任意に変更できるようにする装置が考えられている。その場合に例えば図４中に表示されている子画面Ａを拡大するとその中心は領域 (I)にあるので図中の子画面Ｂのように拡大が行われる。そこでさらにこの子画面Ｂを縮小すると、今度はその中心が領域(II)にあるので、縮小された子画面Ｃは図中の表示のようになってしまう。すなわち子画面の拡大／縮小によってその表示位置が変化してしまう。
【０００５】
これに対して、子画面の中心を固定して拡大／縮小を行う方法が考えられる。しかしながらこの方法では、例えば図５中に表示されている子画面Ａを拡大すると図中の子画面Ｂのように拡大が行われるが、子画面Ａ′を拡大すると図中の子画面Ｂ′のようになって、子画面Ｂ′の一部（斜線の部分）が欠損されてしまうことになる。しかもこの欠損は使用者の意図と係わりなく生じてしまうものであり、このような欠損は映像機器では種々の問題を生じる恐れがある。
【０００６】
この出願はこのような点に鑑みて成されたものであって、解決しようとする問題点は、従来の装置では画面の表示位置を任意に変更できるようにした場合に、画面の拡大／縮小によって表示位置が変化して違和感が生じたり、画面の一部が欠損されるなど、種々の問題を生じる恐れがあったというものである。
【課題を解決するための手段】
【０００７】
このため本発明においては、表示面上で画面を任意に拡大または縮小して任意の位置に表示できる画面表示方法であって、画面の表示サイズを拡大または縮小する指令信号が供給されたことに基づいて画面の表示サイズを拡大または縮小し、また、拡大または縮小される前の画面を第１の画面とし、拡大または縮小された後の画面を第２の画面として、第１の画面の中心と表示面の中心とを通る線上で、表示面と第１の画面との中心間距離と表示面と第２の画面との中心間距離の比が、表示面の任意のコーナーに第１の画面と第２の画面を移動させたときの表示面と第１の画面との中心間距離と表示面と第２の画面との中心間距離の比と同じになるように、第２の画面の中心を移動するようにしたものであって、これによれば、画面の拡大／縮小による表示位置の変化が少なく、それによって画面の一部が欠損される恐れも解消することができる。
【発明の効果】
【０００８】
従って本願発明によれば、画面の表示サイズを拡大または縮小する指令信号が供給されたことに基づいて画面の表示サイズを拡大または縮小し、また、拡大または縮小される前の画面を第１の画面とし、拡大または縮小された後の画面を第２の画面として、第１の画面の中心と表示面の中心とを通る線上で、表示面と第１の画面との中心間距離と表示面と第２の画面との中心間距離の比が、表示面の任意のコーナーに第１の画面と第２の画面を移動させたときの表示面と第１の画面との中心間距離と表示面と第２の画面との中心間距離の比と同じになるように、第２の画面の中心を移動することによって、画面の拡大／縮小による表示位置の変化が少なく、それによって画面の一部が欠損される恐れも解消することができる。
【０００９】
これによって、従来の装置では画面の表示位置を任意に変更できるようにした場合に、画面の拡大／縮小によって表示位置が変化して違和感が生じたり、画面の一部が欠損されるなど、種々の問題を生じる恐れがあったものを、本発明によればこれらの問題点を容易に解消することができる。
【図面の簡単な説明】
【００１０】
【図１】本発明の適用される映像機器の一例の構成図である。
【図２】その動作の説明のための図である。
【図３】従来の装置の説明のための図である。
【図４】従来の装置の説明のための図である。
【図５】従来の装置の説明のための図である。
【図６】本発明の動作の具体例を示す図である。
【図７】本発明の動作の具体例を示す図である。
【図８】本発明の動作の具体例を示す図である。
【図９】本発明の動作の具体例を示す図である。
【発明を実施するための形態】
【００１１】
以下、図面を参照して本発明を説明するに、図１は本発明による映像機器の一例の構成を示すブロック図である。
【００１２】
図１において、表示面上に表示される例えば親画面の映像信号が入力端子１に供給される。この親画面の映像信号は切り換えスイッチ２に供給されて後述する子画面の映像信号と切り換えられる。そしてこの切り換えスイッチ２からの映像信号がＲＧＢドライブ回路３を通じて上述の表示面を映出する受像管４に供給される。
【００１３】
また、子画面の映像信号は入力端子５から子画面信号の形成回路６に供給される。この形成回路６には、例えば親画面の映像信号から分離回路７で分離された同期信号が供給される。これによってこの形成回路６では、子画面の映像信号が任意のサイズに縮小されると共に、上述の表示面上の任意の位置のタイミングで取り出されて子画面の映像信号が形成される。
【００１４】
そしてこの形成された子画面の映像信号が切り換えスイッチ２に供給される。さらに形成回路６では、上述の表示画面上の任意の位置のタイミングに相当する切り換え信号が形成される。そして上述の切り換えスイッチ２が、この切り換え信号に従って切り換えられることによって、親画面の任意の位置に任意のサイズの子画面が合成される。
【００１５】
さらに任意の指令手段からの指令信号が入力端子８を通じてマイクロコンピュータ９に供給される。このマイクロコンピュータ９では、上述の指令信号が中央処理装置（ＣＰＵ）１０に供給されて上述の子画面の表示のサイズ及び位置等を定める制御信号が形成される。そして制御信号が上述の子画面信号の形成回路６に供給されて子画面の表示位置等が制御される。
【００１６】
すなわちこのマイクロコンピュータ９では、上述の入力端子８からの指令信号が中央処理装置１０に供給され、この中央処理装置１０で表示サイズ変更処理手段１１（ソフトウェア）によって表示サイズの制御信号が形成される。また表示位置移動処理手段１２（ソフトウェア）によって表示位置の制御信号が形成されて上述の子画面信号の形成回路６に供給される。
【００１７】
なお、これらの表示サイズ変更処理手段１１及び表示位置移動処理手段１２等のソフトウェアは、例えばリードオンリーメモリ（ＲＯＭ）１３に記憶されているものである。またランダムアクセスメモリ（ＲＡＭ）１４には、処理中の値等が記憶保存されるものである。
【００１８】
そしてこのマイクロコンピュータ９において、子画面の表示サイズの変更のみの指令信号が供給された場合には、表示サイズ変更の処理が行われると同時に、以下に述べるような表示位置移動の処理が行われる。
【００１９】
すなわち図２には表示面を示し、ここでは例えば受像管４での有効画面のみについて考える。そしてこの有効画面の座標を、中心点Ｏ（０，０）に対して垂直方向に−Ｖ〜Ｖ、水平方向に−Ｈ〜Ｈと規定し、その中で中心（ｘ，ｙ）とした子画面について考察する。
【００２０】
ここで子画面のサイズを、表示面の１／ｍ２倍から１／ｎ２倍（但し、１＜ｍ＜ｎ）に変更する場合を考えると、まず図示のように右上隅で１／ｍ２画面から１／ｎ２画面にサイズ変更するようにすれば、表示面の全体に亙って子画面の表示位置を一意的に定めることができる。
【００２１】
そこで１／ｍ２画面の中心を点Ｏ１（ｘ１，ｙ１）、１／ｎ２画面の中心を点Ｏ２（ｘ２，ｙ２）とすると、１／ｍ２画面の右上隅が点Ｐ（Ｈ，Ｖ）に重なっているとき、１／ｎ２画面の右上隅も点Ｐ（Ｈ，Ｖ）に重なるようにすれば、有効画面内でサイズの変更を行うことができる。
【００２２】
この場合に、各画面の中心点Ｏ１、Ｏ２をＸ軸に下ろした点を点Ｑ１、Ｑ２とすると、△ＯＯ１Ｑ１  ∝△ＯＯ２Ｑ２であるから、
ＯＱ１  ：ＯＱ２＝（Ｈ−Ｈ／ｍ）：（Ｈ−Ｈ／ｎ）
Ｏ１Ｑ１：Ｏ２Ｑ２＝（Ｖ−Ｖ／ｍ）：（Ｖ−Ｖ／ｎ）
である。
【００２３】
これより
ｘ２＝（Ｈ−Ｈ／ｎ）／（Ｈ−Ｈ／ｍ）＊ｘ１
＝〔ｍ＊（ｎ−１）〕／〔ｎ＊（ｍ−１）〕＊ｘ１
ｙ２＝（Ｖ−Ｖ／ｎ）／（Ｖ−Ｖ／ｍ）＊ｙ１
＝〔ｍ＊（ｎ−１）〕／〔ｎ＊（ｍ−１）〕＊ｙ１
で、１／ｎ２画面の中心点Ｏ２（ｘ２，ｙ２）を求めることができる。
【００２４】
そしてこの中心点Ｏ２（ｘ２，ｙ２）の値を用いて、表示位置移動処理手段１２（ソフトウェア）によって表示位置の制御信号が形成され、表示サイズ変更処理手段１１（ソフトウェア）で形成される表示サイズの制御信号と共に、上述の子画面信号の形成回路６に供給される。なお、ｍ＞ｎ＞１とすれば、表示サイズの拡大も同様に行うことができる。
さらに図６から図９に本発明の動作の具体例を示す。図６は表示面の周辺部における子画面の拡大の例である。図７は表示面の周辺部における子画面の縮小の例である。図８は表示面の中央部における子画面の拡大の例である。図９は表示面の中央部における子画面の縮小の例である。
【００２５】
従ってこの装置において、拡大または縮小される前の画面を第１の画面とし拡大または縮小された後の画面を第２の画面とすると、第１の画面の中心と表示面の中心とを通る線上で、表示面と第１の画面との中心間距離と表示面と第２の画面との中心間距離の比が表示面の任意のコーナーに第１の画面と第２の画面を移動させたときの表示面と第１の画面との中心間距離と表示面と第２の画面との中心間距離の比と同じになるように、第２の画面の中心を移動して第２の画面の拡大または縮小を行うことによって、画面の拡大／縮小による表示位置の変化が少なく、それによって画面の一部が欠損される恐れも解消することができる。
【００２６】
これによって、従来の装置では画面の表示位置を任意に変更できるようにした場合に、画面の拡大／縮小によって表示位置が変化して違和感が生じたり、画面の一部が欠損されるなど、種々の問題を生じる恐れがあったものを、本発明によればこれらの問題点を容易に解消することができるものである。
【００２７】
なおこの装置は、上述の親子画面の場合に限らず、単に画面を縮小／拡大して表示する場合や、表示面と相似形の情報画面（メニュー）を縮小／拡大する場合や、複数の画面が共に表示される内の任意の一の画面の縮小／拡大を行う場合にも適用できるものである。
【００２８】
こうして上述の映像機器によれば、表示面上で画面を任意に拡大または縮小して任意の位置に表示できる映像機器であって、拡大または縮小される画面のサイズを設定する手段と、拡大または縮小される画面の表示位置を設定する手段とを有し、拡大または縮小される画面の中心と表示面の中心とを通る線上で中心間の距離が拡大または縮小の比率と比例するように拡大または縮小される画面の中心を移動して画面の拡大または縮小を行うことにより、画面の拡大／縮小による表示位置の変化が少なく、それによって画面の一部が欠損される恐れも解消することができるものである。
【００２９】
なお本発明は、上述の説明した実施の形態に限定されるものではなく、本発明の精神を逸脱することなく種々の変形が可能とされるものである。
【符号の説明】
【００３０】
１…親画面の映像信号の入力端子、２…切り換えスイッチ、３…ＲＧＢドライブ回路、４…受像管、５…子画面の映像信号の入力端子、６…子画面信号の形成回路、７…同期分離回路、８…指令信号の入力端子、９…マイクロコンピュータ、１０…中央処理装置（ＣＰＵ）、１１…表示サイズ変更処理手段、１２…表示位置移動処理手段、１３…リードオンリーメモリ（ＲＯＭ）、１４…ランダムアクセスメモリ（ＲＡＭ）
【図１】
0004821861.tif 000002
【図２】
0004821861.tif 000003
【図３】
0004821861.tif 000004
【図４】
0004821861.tif 000005
【図５】
0004821861.tif 000006
【図６】
0004821861.tif 000007
【図７】
0004821861.tif 000008
【図８】
0004821861.tif 000009
【図９】
0004821861.tif 000010